(57)【要約】【課題】新築工事、改修工事における解体工事、アンカー工事、はつり工事、ダイヤモンドコア穿孔工事による、コンクリートスラブ内埋設配管、又は配線の破断、断裂事故を防ぐ配管表示具、支持具、又は表示方法を提供する。【解決手段】埋設配管敷設時に図１、図２からなる支持具を方枠又はデッキに取り付け、３の固定台座の上に４で結束、固定する。上面からもコンクリート天端から突起を出す表示具を設ける。以上のものを連続的、又は規則的に施工することにより、コンクリートスラブ内の埋設配管の位置を、誰でも容易に目視で確認できるため、配管、配線の破断事故が格段に少なくなる。万一破断事故がおきた場合でも、支持具表示具を色分けする事で、迅速な対応をすることができる。【選択図】　図４
0003098856.tif 000002
【実用新案登録請求の範囲】
【請求項１】
コンクリートスラブ内の配管位置を、コンクリートの床面、及び天井面から、目視、確認できる事を特徴とした、配管支持具
【請求項２】
請求項１の配管支持具で、コンクリートスラブ上面から目視できる突起を設ける際、止水板を取り付けた表示具。
【請求項３】
型枠用の支持具で、下部への単独の表示でも埋設配管の設置状況や方向が、目視で確認できるように、方向指示を兼ねた底部の形状をもった支持具。
【考案の詳細な説明】
【０００１】
【考案の属する技術分野】
本考案は、コンクリート建築物に於ける、スラブ内埋設配管における、支持具の形状、及び施工方法に関する。
【０００２】
【従来の技術】
従来のコンクリート建築物に於ける、コンクリートスラブ内埋設配管の施工に関する補助具、支持具は、適正な間隔を保つ、適正なかぶり厚さを持たせるものであり、コンクリート打設後に埋設配管の位置の確認は困難である。
【０００３】
【考案が解決しようとする課題】
従来の技術によれば、新築、改築を問わず、適正なかぶりを保ったスラブ内埋設配管であっても、アンカー工事、解体工事、はつり工事により、いつも断裂、破断の危険にさらされている。
特に改修工事においては、光ケーブル、火災報知器、その他重要な配線が通っている場合があり、断裂、破断は莫大な被害をもたらす。
【０００４】
スラブ内埋設配管の正確な位置やルートは、図面で確認しても、施工条件、施工環境によって実際の位置と異なる事も多い。
またＸ線を使った探査機も有るが、設備も大掛かりになり、費用、安全性の面でも、一般的ではない。
そのため、コンクリートスラブ内埋設配管の位置を正確に知る事は、困難である。
そこでこの考案は、誰にでも、どこに、どんな種類の配管が、どのルートを通って設置されているかを目視で判断できるものとする。
【０００５】
【課題を解決するための手段】
以上の事を解決するために、請求項１の支持具をスラブ型枠に釘で打ちつけ支持具上部に配管を固定する事によって、スラブ枠解体時には支持具の枠に接していた面が露出して、固定した配管の位置を目視する事が出来る。
【０００６】
請求項２の表示具は、スラブ上面に細い突起を突き出すことによって、床上から配管の位置を確認する事が出来る。
【０００７】
デッキスラブの場合においては、デッキを取り外す事が無いため、デッキに穴を開け、そこに突起状のものを貫通して下部に表示する仕組みの、デッキ用支持具を使用して施工する。
【０００８】
【考案の実施の形態】
この考案の実施の形態を図１、図２、図３、図４に示す。
図１は、型枠用の支持具とする。
支持具本体はプラスチック製であり、配管を固定、結束する線４は、ビニールコーティングされた鋼線、又は鉄線である。材質は絶縁性を考慮したものである。１２の釘により型枠に固定する。
この底部は、配管と同じ方向に長い形状をしているため、単独でも埋設配管の方向を確認できる。
図２は、デッキスラブ用の支持具である。この支持具本体もプラスチック製で有りデッキに穴を空けた場所に、５のストッパー部まで差しこみ、６の突起で抜けないように固定する。
図１、図２とも７の部分が雄ネジ、雌ネジになっているので、配管の固定高さを調整することが出来る。
図３は、コンクリートスラブ上面の表示具である。
表示具本体もプラスチック製であり、１１の部分で、配管本体に取り付ける。
８の表示部分で鉄筋の上筋に固定して垂直を保つ。コンクリートの表面からは、９の部分が露出する。１０の止水板により、上面からの水の浸入を防ぎ、鉄筋、又は配管の劣化を防ぐ。
図４は、施工時の状態である。上が型枠スラブ、下がデッキスラブの施工状態である。
【０００９】
【考案の効果】
この実施形態によれば、誰にでもコンクリートスラブ内埋設配管の位置を正確に目視で確認することができる。さらには、支持具、表示具を色分けする事で、どこにどんな種類の配管が、どのルートで入っているのか知る事が出来る。
【００１０】
特に図１の型枠用支持具の場合においては、単品であっても、露出する細長六角形の部分の方向により、埋設配管の流れを知る事が出来る。
図２のデッキタイプは、単品では配管ルートは判断できないが、連続的、且つ規則的に施工することにより、配管のルートを知る事が出来る。
【００１１】
スラブ上面から出した細い突起は、カッター等で簡単に切断できるものとする。
【００１２】
支持具の高さも調整できるため、あらゆるスラブ厚に対応し、適正なかぶり厚を保つ事が出来る。
【００１３】
【考案の効果】
以上説明したように、この考案によれば、今まで図面を見て確認しても、施工者に確認しても正確に位置を知る事が出来ないコンクリートスラブ内埋設配管の位置を、大掛かりな装置を使用することも無く、誰にでも目視で正確に把握する事が出来るため、改修工事、解体工事、アンカー工事、ダイヤモンドコア穿孔工事等による、配管、配線の断裂、破断事故が格段に減少する。
万が一、破断事故がおきた場合でも、色分けする事で配線別に迅速に対応する事が出来る。
【００１４】
ＩＳＯ９００１で謳われている、品質管理の見地から、施工後の品質、また他業種による工事においても、最高の環境を提供できる考案である。
【図面の簡単な説明】
【図１】型枠用配管支持具
【図２】デッキ用配管支持具
【図３】上面用表示具
【図４】施工概念図
【符号の説明】
１、型枠用支持台
２、補強火打ち
３、配管、及び配線結束部分
４、ビニールコーティング鋼線、又は鉄線
５、デッキ用支持台
６、抜け防止ロック
７、高さ調整部分
８、上面表示具
９、上面表示部分
１０、止水板
１１、配管把握部
１２、釘
１３、埋設配管
１４、コンクリート
１５、鉄筋及びワイヤーメッシュ
１６、合成デッキ
【図１】
0003098856.tif 000003
【図２】
0003098856.tif 000004
【図３】
0003098856.tif 000005
【図４】
0003098856.tif 000006
【手続補正書】
【提出日】平成15年4月18日(2003.4.18)
【手続補正１】
【補正対象書類名】明細書
【補正対象項目名】実用新案登録請求の範囲
【補正方法】変更
【補正の内容】
【実用新案登録請求の範囲】
【請求項１】
コンクリート打設前に、合成床板または床型枠に打ち付けたプラスティック樹脂製の埋設配管支持具で埋設される配管を一定の間隔で鋼線等により結束して支持、又は挟み込むように取り付ける事によって、床型枠解体の際に型枠に面していた支持具の底部やプラスティックの突起部分がコンクリートの表面や、合成床板に現れる表示部分となって、コンクリート内の配管の位置や種類、配管全体の流れを、天井面や床面より目視で確認できる事を特徴とした埋設配管支持具。
【請求項２】
コンクリート打設前に埋設配管の上部に取り付けることで、コンクリート上部に突出したプラスティック樹脂により、配管の位置を目視、確認でき、さらには止水板を設けた、請求項１記載の埋設配管支持具の上面表示部分。
【請求項３】
床が型枠の場合における、埋設配管支持具の型枠に面する表示部分で、連続した目視、確認が出来ない場合においても、表示部分の指し示す方向と埋設配管の方向を同一にすることで、単体を目視、確認する事により埋設されている配管の流れが、確認できる形状を有する請求項１記載の埋設配管支持具。
【手続補正書】
【提出日】平成15年8月7日(2003.8.7)
【手続補正１】
【補正対象書類名】明細書
【補正対象項目名】実用新案登録請求の範囲
【補正方法】変更
【補正の内容】
【実用新案登録請求の範囲】
【請求項１】
コンクリート打設前に、合成床板または床型枠に打ち付けたプラスティック樹脂製の埋設配管支持具で、仮設電気、照明、通信等の目的で埋設される配管を一定の間隔で鋼線等により結束して支持、又は挟み込むように取り付ける事によって、適正なかぶり厚を確保し、さらには床型枠解体の際に型枠に面していた支持具の底部が天井面に現れ、又、プラスティックの突起部分がコンクリートの床表面や、合成床板の裏に現れる表示部分となって、コンクリート内の配管の位置や種類、配管全体の流れを、天井面より目視で確認し、解体工事、アンカー工事による破損、断裂を防止する事を特徴とした埋設配管支持具。
【請求項２】
コンクリート打設前に請求項１で述べた埋設配管を挟むように取り付け、さらに鉄筋に支持させることで自立させた、コンクリート上部に突出したプラスティック樹脂により、配管の位置を目視、確認でき、さらには突出したプラスティック樹脂とコンクリートの隙間からの浸水による、コンクリートの劣化を防止するために止水板を設けた、請求項１記載の埋設配管支持具のコンクリートスラブ床面専用表示具。
【請求項３】
床が型枠の場合における、埋設配管支持具の型枠に面する表示部分で、連続した目視、確認が出来ない場合においても、表示部分の指し示す方向と埋設配管の方向を同一にすることで、単体を目視、確認する事により埋設されている配管の流れが、確認できる形状を有する請求項１記載の床型枠専用の埋設配管支持具。